(57)【要約】【課題】コインやナイフなどの金属体（異物）が昇降穴部から本体内に侵入することなく、安全・安心して使用できるトースターの構成を提供すること。【解決手段】本体と、パンをセットする調理部と、調理部内でパンの底部を支え、上下動するパン受けと、パン受けを外部から手動で操作させるつまみと、パン受けとつまみに接続された昇降レバーと、を有し、本体は外郭を部分的に２重構造とし、２重構造部に内側昇降穴と外側昇降穴を設け、内側昇降穴と外側昇降穴は、互い違いの位置に設置したことを特徴とする。【選択図】図１
2013106756.tif 000002
【特許請求の範囲】
【請求項１】
本体と、パンをセットする調理部と、前記調理部内でパンの底部を支え、上下動するパン受けと、前記パン受けを外部から手動で操作させるつまみと、前記パン受けと前記つまみに接続された昇降レバーと、を有し、
前記本体は外郭を部分的に２重構造とし、２重構造部に内側昇降穴と外側昇降穴を設け、前記内側昇降穴と前記外側昇降穴は、互い違いの位置に設置したことを特徴とするトースター。
【請求項２】
前記内側昇降穴と前記外側昇降穴との間に、前記外郭に対して垂直方向に突出した壁面を構成したことを特徴とする請求項１に記載のトースター。
【発明の詳細な説明】
【技術分野】
【０００１】
本発明は一般家庭で使用されるトースターに関するものである。
【背景技術】
【０００２】
図５は特許文献１に記載のトースターの断面図である。従来、この種のトースターは、トースター本体１０１と、内部でパンを支え、上下に昇降するパン受け１０２と、パン受けを外部から操作するためのつまみ１０３と、パン受けとつまみを接続する昇降レバー１０４が擦動するために本体１０１に設けた昇降穴１０５で構成されており、昇降穴１０５は単純に本体１０１外郭に開口部を設けた構成とし、昇降レバー１０４がスムーズに動作するように開口穴の幅にゆとりを持たせた形状になっている。
【先行技術文献】
【特許文献】
【０００３】
【特許文献１】特公平１−１４７７７号公報
【発明の概要】
【発明が解決しようとする課題】
【０００４】
しかしながら、上述した従来の構成では、昇降穴１０５からコインやナイフなどの金属体（異物）が本体１０１内に容易に侵入する構成となっているために、例えば塵等が本体内に誤って入り込み、この塵等を取り出すために昇降穴１０５から金属体を差し込んだ時に、本体１０１内に設置されている電源スイッチや接続端子などの充電部に異物が接触し、絶縁不良や感電等を引き起こす恐れがあった。
【０００５】
本発明は、前記従来の課題を解決するもので、コインやナイフなどの金属体（異物）が本体内に容易に侵入することなく安全・安心して使うことの出来るトースターを提供することを目的とする。
【課題を解決するための手段】
【０００６】
本発明はこのような課題を解決するためのものであり、請求項１に記載の発明は、本体と、パンをセットする調理部と、前記調理部内でパンの底部を支え、上下動するパン受けと、前記パン受けを外部から手動で操作させるつまみと、前記パン受けと前記つまみに接続された昇降レバーと、を有し、前記本体は外郭を部分的に２重構造とし、２重構造部に内側昇降穴と外側昇降穴を設け、前記内側昇降穴と前記外側昇降穴は、互い違いの位置に設置したことを特徴とする。
【０００７】
又、請求項２に記載の発明は、請求項１に記載のトースターであり、前記内側昇降穴と前記外側昇降穴との間に、前記外郭に対して垂直方向に突出した壁面を構成したことを特徴とする。
【０００８】
本発明により、コインやナイフなどの金属体（異物）は外側と内側それぞれの壁面が障害となって本体内に侵入することができず、安全性を向上させることができる。
【発明の効果】
【０００９】
本発明のトースターは、コインやナイフなどの金属体（異物）が昇降穴部から本体内に侵入する恐れのない構成とすることにより、異物が本体内に侵入して絶縁不良や感電等を引き起こすことなく安全に使用することができる。
【図面の簡単な説明】
【００１０】
【図１】本発明の実施の形態１におけるトースターの縦断面図。
【図２】本発明の実施の形態１におけるトースターを上方から見た部分断面図。
【図３】本発明の実施の形態１におけるトースターにコインを差し込んだ状態を上方から見た部分断面図。
【図４】本発明の実施の形態２におけるトースターを上方から見た部分断面図。
【図５】従来のトースターの縦断面図。
【発明を実施するための形態】
【００１１】
第１の発明は、本体と、パンをセットする調理部と、前記調理部内でパンの底部を支え、上下動するパン受けと、前記パン受けを外部から手動で操作させるつまみと、前記パン受けと前記つまみに接続された昇降レバーと、を有し、前記本体は外郭を部分的に２重構造とし、２重構造部に内側昇降穴と外側昇降穴を設け、前記内側昇降穴と前記外側昇降穴は、互い違いの位置に設置することにより、コインやナイフなどの金属体（異物）が本体内に入り込むことなく安全性を向上させることができる。
【００１２】
第２の発明は、第１の発明の前記内側昇降穴と前記外側昇降穴との間に、前記外郭に対して垂直方向に突出した壁面を構成することにより、内側昇降穴と外側昇降穴との間の隙間を最小限とし、異物が本体内に入り込むのを確実に防ぎ、より安全性を高めることが出来る。
【００１３】
以下、本発明の実施の形態について、図面を参照しながら説明する。なお、この実施の形態によって本発明が限定されるものではない。
【実施例】
【００１４】
（実施の形態１）
図１は、本発明の第１の実施の形態におけるトースターの縦断面図、図２は同トースターの昇降機構周囲を上方から見た部分断面図である。
【００１５】
図１、図２において、本体１内部にパンを入れて加熱する調理部２があり、調理部２の底部はパン受け３で構成され、パン受け３は昇降レバー４の上下移動に伴って上下移動可能に構成されている。尚、図１はパン受けを下に押し下げた状態を示している。
【００１６】
パン受け３は、昇降レバー４に接続され、昇降レバー４の本体１外側に手動で昇降レバー４を上下に動かすためのつまみ５が取付けられている。又、昇降レバー４には、スイッチ操作レバー６が形成されている。
【００１７】
昇降レバー４は昇降バネ９により常時上方へ付勢されており、使用時につまみ５を引き下ろすとこの昇降バネ９の付勢力に反して昇降レバー４とパン受け３が下がり、パンが調理部２に収まる。同時にスイッチ操作レバー６も下がり、このスイッチ操作レバー６がスイッチ切片７を押し広げて、スイッチ切片７とスイッチ８とが接触してヒーターが通電される。又、昇降レバー４は押し下げられた状態を維持することが可能であり、所定時間経過すると、即ち、パンの焼成が終了すると、自動的に昇降レバー４が昇降バネ９の付勢力により上方へ移動するようになっている。この部分の構成は従来からあるトースターに搭載されている構成であるため、説明は省略する。
【００１８】
昇降レバー４は本体１の内側と外側を貫通して接続している。本体１の貫通部は、外郭を構成する外壁部１０と、当該外壁部１０に固定されている内壁部１１を有し、それぞれに昇降レバー４が上下動自在に通過させることの出来るスリット状の外側昇降穴１２と内側昇降穴１３が設けられている。
【００１９】
外側昇降穴１２と内側昇降穴１３は、互い違いの位置に設けられており、昇降レバー４は図２に示すように屈曲した形状とすることでその間を通している。
【００２０】
図３は、このような構成のトースターに、例えばコインを外側昇降穴１２から本体内部に押し込もうとした際の状態を示している。図３に示すように、ユーザがコインを外側昇降穴１２に挿入しても、コインの先端が内壁部１１に当接するため、トースター内部にコインを挿入することができない。
【００２１】
従って、導電部であるスイッチ切片７やスイッチ８、又は接続端子等のある部分にコインが入り込むことは無い。これはナイフやフォークなどを差し込んだ場合も同じである。
【００２２】
なお、本実施の形態で示した内壁部１１のうち、外側昇降穴１２に向かい合わない部分は構成を削除、つまり内側昇降穴１３の片側を開放した状態の場合も同様の役割を果たす。また、本実施形態では内壁部１１を外壁部１０に固定する構成で説明したが、本体外郭の一部を凹状にして内壁部１１を構成し、外側から外壁部１０を取り付ける構成としても同様の効果が得られるものである。
【００２３】
（実施の形態２）
図４は、本発明の第２の実施の形態の昇降機構周囲を上方から見た部分断面図である。図４において、外側昇降穴１２の側方に、外壁部１０から外壁リブ１４が出ている。外壁リブ１４と内壁部１１との間に隙間を設けて、昇降レバー４を通過させる。昇降レバー４は一般的に金属板金をプレスして作成されており、淵のバリやエッジが外側昇降穴１２の淵に接触すると昇降レバー４の擦動不良になることがあるので、樹脂のつまみ５で接触部を覆って滑らかな擦動を確保している。
【００２４】
この場合、外壁リブ１４のスペースを確保する分、外壁部１０と内壁部１１との間の距離は、実施の形態１よりも遠ざかることになるが、使用する国での最小サイズのコインの直径よりも近い距離に設定して、コインが外壁部１０と内壁部１１との間に入り込まないように設定する。この構成でコインを差し込んだ場合、コインは外壁リブ１４と内壁部１１が障害となって、内側昇降穴１３には届くことが無く、本体１内部には入り込まない。
【産業上の利用可能性】
【００２５】
以上のように、本発明にかかるトースターは、コインやナイフなどの異物が本体内に入り込むのを防ぐことが出来るため、機械的にレバーを動作させてスイッチ操作を行い、レバー部に貫通穴が必要となる構成の機器等の用途にも適用できる。
【符号の説明】
【００２６】
１    本体
２    調理部
３    パン受け
４    昇降レバー
５    つまみ
１０  外壁部
１１  内壁部
１２  外側昇降穴
１３  内側昇降穴
【図１】
2013106756.tif 000003
【図２】
2013106756.tif 000004
【図３】
2013106756.tif 000005
【図４】
2013106756.tif 000006
【図５】
2013106756.tif 000007